(57)【要約】【課題】生産性に優れ、品質の安定した型巻コイルの製造方法を提供する。【解決手段】平角銅線をトラック形状に巻回して巻線とし、この巻線にマイカテープを絶縁処理した後、成形作業を行う亀甲型の型巻コイルの製造方法において、マイカテープの絶縁作業の際にコイル口出し部およびその近傍の絶縁処理を行わずに、それ以外のコイル全周に絶縁処理を行い、コイル直線部にはコロナ防止テープのテーピング作業を行った後に成形作業を行い、この成形作業後に前記コイル口出し部の成形作業を行ってから前記コイル口出し部およびその近傍のマイカテープの絶縁作業を行うので、型巻コイルのコイル口出し部の成形作業が容易にでき、巻線の生産性が向上する。【選択図】図１
2006149113.tif 000002
【特許請求の範囲】
【請求項１】
平角銅線をトラック形状に巻回して巻線とし、この巻線にマイカテープを絶縁処理した後、成形作業を行う亀甲型の型巻コイルの製造方法において、マイカテープの絶縁作業の際にコイル口出し部およびその近傍の絶縁処理を行わずに、それ以外のコイル全周に絶縁処理を行い、コイル直線部にはコロナ防止テープのテーピング作業を行った後に成形作業を行い、この成形作業後に前記コイル口出し部の成形作業を行ってから前記コイル口出し部およびその近傍のマイカテープの絶縁作業を行うことを特徴とする型巻コイルの製造方法。
【請求項２】
請求項１記載の型巻コイルの製造方法において、平角銅線をトラック形状に巻回して巻線とした後にコイル全周の中の２〜４ヶ所部分をモールドして巻線を固定したことを特徴とする型巻コイルの製造方法。
【発明の詳細な説明】
【技術分野】
【０００１】
本発明は、同期発電機、電動機等の回転電機に使用される型巻コイルの製造方法に関する。
【背景技術】
【０００２】
従来の型巻コイルの製造方法は、平角銅線をなまこ形状に巻回して巻線（特許文献１）とするかトラック形状に巻回して巻線（特許文献２）とする方法が採用されている。  
図３は、平角銅線をなまこ形状に巻回して巻線を製造する従来の型巻コイルの製造方法を示すフロー図である。図に示すように、平角銅線をなまこ形状に巻回して巻線１とした後（同図ａ）、コイル口出し部２を取り出して成形作業を行う（同図ｂ）。次に、コイル口出し部２と、コイルエンド部３とコイルループ部４とコイル直線部５等のコイル全周の絶縁作業を行い（同図ｃ）、次にコイル直線部５のコロナ防止テープおよびテーピング作業を行っている（同図ｄ）。
【０００３】
図４は、平角銅線をトラック形状に巻回して巻線を製造する従来の型巻コイルの製造方法を示すフロー図である。図に示すように、平角銅線をトラック形状に巻回して巻線６とした後（同図ａ）、コイル口出し部２およびコイル全周の絶縁作業を行う（同図ｂ）。次に巻線全体の成形作業を行った（同図ｃ）後に、コイル直線部のコロナ防止およびテープのテーピング作業を行っている（同図ｄ）。
【発明の開示】
【発明が解決しようとする課題】
【０００４】
しかしながら、上記した図３の従来の型巻コイルの製造方法では、成形後に絶縁作業を行うため、全周を自動で絶縁作業を行うには高価なテーピング装置が必要であり、複雑な形状をテーピングするため、高速でテーピングすることが困難であった。更に、容量が約１０００ｋＷ以下の小型回転電機ではコイルループ部４が小さいため寸法的に自動化テーピングすることが困難であった。このような事情のためやむなく手作業による絶縁作業を行っていたため、生産性に影響していた。
【０００５】
また、図４の従来の型巻コイルの製造方法では、回転電機の容量が約１０００ｋＷ以上の型巻コイルでは、電気設計的にコイル口出し線が太くなるため、成形前に絶縁作業を行うと、成形後にコイル口出し部の成形作業が困難であった。また、大型の型巻コイルをトラック形状の巻線にテーピングすると、巻線のゆるみがテーピングを行う方向に偏っていき、テーピングの最後の部分にコイル全周のゆるみ分が集中してコイルの品質に悪影響を与えるという課題があった。
【０００６】
本発明は、上記状況に対処するためになされたもので、その課題は生産性に優れ、品質の安定した型巻コイルの製造方法を提供することにある。
【課題を解決するための手段】
【０００７】
上記課題を達成するために、本発明の請求項１の発明は、平角銅線をトラック形状に巻回して巻線とし、この巻線にマイカテープを絶縁処理した後、成形作業を行う亀甲型の型巻コイルの製造方法において、マイカテープの絶縁作業の際にコイル口出し部およびその近傍の絶縁処理を行わずに、それ以外のコイル全周に絶縁処理を行い、コイル直線部にはコロナ防止テープのテーピング作業を行った後に成形作業を行い、この成形作業後に前記コイル口出し部の成形作業を行ってから前記コイル口出し部およびその近傍のマイカテープの絶縁作業を行うことを特徴とする。
【０００８】
請求項２の発明は、請求項１記載の型巻コイルの製造方法において、平角銅線をトラック形状に巻回して巻線とした後にコイル全周の中の２〜４ヶ所部分をモールドして巻線を固定したことを特徴とする。
【発明の効果】
【０００９】
本発明によると、型巻コイルのコイル口出し部の成形作業が容易にできるので、巻線の生産性が向上し、また、トラック形状の巻線に自動絶縁作業を行う際の巻線ゆるみの集中を防止し、品質の優れた巻線コイルを提供することができる。
【発明を実施するための最良の形態】
【００１０】
以下、本発明を実施するための最良の形態を図を参照して説明する。  
（第１実施形態）
図１は本発明の第１実施形態の型巻コイルの製造フロー図であり、従来と同一構成部分には同一符号を付して説明する。  
図に示すように、平角銅線をトラック形状に巻回して巻線とし、平角銅線をトラック形状に巻回して巻線６とした後（同図ａ）、コイル口出し部２およびコイル口出し部２近傍の絶縁作業を行わずに、それ以外のコイル全周の絶縁作業を行う（同図ｂ）。次に、コイル直線部のコロナ防止およびテープのテーピング作業を行う（同図ｃ）。この際、自動テーピング装置は、絶縁必要部のみテーピングするようにプログラムされている。次にコイル成形作業およびコイル口出し部の成形作業を行ってから（同図ｄ）、前記コイル口出し部２および口出し部近傍部の絶縁を手作業で行う（同図ｅ）。
【００１１】
本実施形態の型巻コイルの製造方法は、上記したように巻線成形前にコイル口出し部および口出し部近傍部分が絶縁処理されていないので、容易にコイル口出し部の成形作業を行うことができる。  
本実施形態によれば、大型の回転電機に用いられる口出し部が太いコイルでも生産性よく製造することができる。
【００１２】
（第２実施形態）
本発明の第２の実施形態を図１および図２を参照して説明する。図２はモールド用絶縁紙の挿入部分を示す図である。  
本実施形態は、図１で示した平角銅線をトラック形状にに巻回して巻線とした後、図２で示した位置にモールド用絶縁紙７をコイル内部に挿入する。モールド用絶縁紙７は、半硬化性の樹脂を含んでおり、加熱されることにより硬化する。これによりモールド用絶縁紙を挿入した位置でコイルは固着される。
【００１３】
一般的にトラック形状のコイルを順次テーピング作業していくと、巻線に生じているゆるみが順に偏っていくが、モールドにより固定された部分でゆるみの偏りが止まる。したがって、モールドした部分でゆるみの偏りが止まるのてで、コイル全周のゆるみの偏りを一ヶ所に集中することなく、絶縁作業を行うことができる。  
本実施形態によれば、絶縁作業によりコイルのゆるみを一ヶ所に集中することなく、絶縁作業をすることができ、巻線の品質の向上が図れる。
【図面の簡単な説明】
【００１４】
【図１】本発明の第１実施形態の型巻コイルの製造方法のフロー図。
【図２】本発明の第１実施形態のモールド用絶縁紙の挿入部分を示す図。
【図３】従来の型巻コイルの製造方法のフロー図。
【図４】従来の他の型巻コイルの製造方法のフロー図。
【符号の説明】
【００１５】
１…なまこ形状の巻線、２…コイル口出し部、３…コイルエンド部、４コイルループ
部、５…コイル直線部、６…トラック形状の巻線、７…モールド用絶縁紙。
【図１】
2006149113.tif 000003
【図２】
2006149113.tif 000004
【図３】
2006149113.tif 000005
【図４】
2006149113.tif 000006